(57)【要約】  本発明は二室容器に関し、より詳細には、混合が望まれるときまで２つの流体を分離して保持するための二室容器に関する。混合は、異なる圧縮および影響力下の一連のバネおよび弁を利用して達成される。【選択図】図１
2014504200.tif 000002
【特許請求の範囲】
【請求項１】
２つの保存された流体を混合するための容器であって、
第１の流体を保持するための第１の室と、
第２の流体を保持するための第２の室と、
前記第１の流体と前記第２の流体の前記混合を防止するための弁と、
前記弁を正常な閉位置に維持するための第１の張力機構と、
第２の張力機構により定位置に保持されたピストンと、
前記第２の張力機構を開放するための開放機構であって、
前記第２の張力機構の前記開放により、前記ピストンは正常に閉じられた弁を開き、前記第２の流体が前記弁を通って前記第１の室の中に流れることが可能になる、開放機構と、を含む容器。
【請求項２】
前記第１の張力機構は第１のバネであり、前記第２の張力機構は第２のバネである、請求項１に記載の容器。
【請求項３】
前記第１のバネのバネ定数は、前記第２のバネのバネ定数より小さい、請求項２に記載の容器。
【請求項４】
前記第１の室と前記第２の室との間に位置付けられた有孔アダプタをさらに備える、請求項１に記載の容器。
【請求項５】
前記第２の流体を保持するための前記第２の室は、内室および外室を備え、前記第２の流体は前記内室内に含有される、請求項１に記載の容器。
【請求項６】
前記外室は、前記第２の張力機構を開放するために前記第１の室に対して回転される、請求項５に記載の容器。
【請求項７】
２つの隔離された流体を混合するための二室容器を準備するための方法であって、
第１の流体を第１の室に挿入することと、
第２の流体を第２の室に挿入することであって、前記第１の室と第２の室は結合されて、挿入することと、
前記第１の室と第２の室との間の弁を介して、前記第１の流体と前記第２の流体を隔離することと、
前記弁を正常な閉位置に維持するために第１の張力機構を位置付けることと、
ピストンを第１の位置に保持するために第２の張力機構を位置付けることであって、前記第２の張力機構を開放すると、前記ピストンは第２の位置に移動して、前記第２の流体が前記弁を通って前記第１の室の中に流れることを提供すし、位置付けることと、を含む方法。
【請求項８】
前記第１の張力機構は第１のバネであり、前記第２の張力機構は第２のバネである、請求項７に記載の方法。
【請求項９】
前記第１のバネのバネ定数は、前記第２のバネのバネ定数より小さい、請求項８に記載の方法。
【請求項１０】
前記第１の室と前記第２の室との間に位置付けられた有孔アダプタをさらに備える、請求項７に記載の方法。
【請求項１１】
前記第２の流体を保持するための前記第２の室は、内室および外室を備え、前記第２の流体は前記内室内に含有される、請求項７に記載の方法。
【請求項１２】
前記外室は、前記第２の張力機構を開放するために前記第１の室に対して回転される、請求項１１に記載の方法。
【発明の詳細な説明】
【技術分野】
【０００１】
本発明は二室容器に関し、より詳細には、混合が望まれるときまで２つの流体を分離して保持するための二室容器に関する。
【背景技術】
【０００２】
通常、二室容器は、使用者が製品を混合し利用すると決定するまで、分離された状態で保存された流体、粉末、またはペーストの様々な組合せを保持できる、独立した器または保存室を有する。これらのタイプの容器は、製品成分を使用するまで個別に保つことにより、保存期限を延ばす、または輸送前に混合される製品に関する製品有効性を高める場合の適用に最も有益である。このような容器に対する適用は、これに限定されないが、化粧用クリームおよび化粧水、スキンクリーナ、シャンプー、コンディショナおよびヘアカラーを含む。多くの二室容器が存在するが、多くは米国特許第５，６９２，６４４号などの複雑な止め具構造を含む一方で、一部は使用者が混合前に２つの容器を実際に連結する必要がある（たとえば、米国特許第６，９１０，５７３号を参照されたい）。
【０００３】
先行技術における二室容器の多くは、使用者が機構を一緒に螺合するか（たとえば、米国特許第６，１２６，０３２号を参照されたい）、または駆動力を使用して機構を混合させる（米国特許第５，６９２，６４４号を参照されたい）必要がある。こうした行為は、使用者が混合を引き起こすために十分な力を加える必要があることが多い。したがって、２つの成分を混合するために最小労力を必要とし、主室内の止め具を施行しない、二室容器が必要とされている。
【０００４】
さらに、特定の方法で２つの成分の混合を提示することにより、製品に関連したある品質が高められ得ることが確認された。たとえば、混合されるべき成分が老化の兆候を低減させることを意図する場合、たとえば「若返りの泉」を運ぶようにそれらの成分を提示することを望む人がいるかもしれない。同様に、泉の形で使用者に成分を提示することにより、自然または純粋の感覚を運ぶかもしれない。従来の二室容器は、成分の混合中に使用者によって経験される印象および感覚を気にかけず、したがって使用者が成分の混合を見ることができる容器を使用者に提供していない。
【発明の概要】
【発明が解決しようとする課題】
【０００５】
したがって、使用者が分離された成分を容易に混合でき、あらゆる止め具または他の異物を主容器内に残さず、かつ／または使用者が成分の混合を見ることができる二室容器が必要とされている。さらに、成分が使用者からの特異反応を引き出すように混合されることが可能な二室容器が必要とされている。さらに、２つの成分が混合される際に、泉の印象を作り出す二室容器が必要とされている。本開示はこれらの必要性に対処する。
【課題を解決するための手段】
【０００６】
本開示は、使用者が流体を混合すると決定するときまで、第１の流体を保持するための第１の室、および第２の流体を保持するための第２の室から構成される、少なくとも２つの流体を保存するための容器に関する。
【０００７】
流体は、液体もしくは気体または液体と気体の組合せであってもよい。流体の例には、水ベースの液体、アルコールベースの液体、油ベースの液体、石油ベースの軟膏、ジェルなどの粘稠液、油、および軟膏が含まれる。
【０００８】
第１の室または主室は、通常使用者が流体の混合を見ることができる透明であるが、室は半透明または不透明であってもよい。第１の室または主室は、一旦混合された第１の流体と第２の流体の両方の容量を収納するのに十分な大きさである。加えて、通常、取外し可能なドロッパ、または流体が混合された後、流体を分注するための第１の室と連通する、たとえばポンプなどの他の形のディスペンサが存在する。
【０００９】
第２の室の方が、通常より小型であるが、第２の室は第１の室と等しいまたはより大きい容積であることが可能である。第２の室は、通常ディスペンサと反対側の第１の室のベースに配置される。
【００１０】
本発明において、第２の容器内に保存された第２の流体は、保存されたエネルギーまたは張力により第１の流体と混合するために、第１の容器の中に入れられる。特に、バネ、弁、およびピストンなどの張力機構を利用することにより、流体は、使用者があまり労力をかけずに、またいかなる穿刺、断裂または２つの室と流体との間に配置されたあらゆる膜もしくは止め具の除去をすることなく混合される。様々な張力、弁、およびピストン構成は、保存されたエネルギーの開放により、第２の流体が弁または第１の室と第２の室との間に介装された他の再利用可能なバリアを開く限り、本発明の範囲から逸脱することなく利用されることが可能であり、それによって２つの流体の混合が可能になる。加えて、弁または他の再利用可能なバリアは、第１の流体および第２の流体に適用される力に依存して、一方向のみ、または複数の方向に流体流れが可能になってもよい。
【００１１】
一旦混合されると、混合された流体は、上室から分注されてもよい。前述の一般的な説明および以下の詳細な説明は典型的な例であって、例示だけを目的としており、限定するものではないことを理解されたい。
【００１２】
一実施形態では、下室は、圧縮されたバネまたは掛け金機構により圧縮が保持される他の張力機構によって囲まれたピストン上に載置する。下側容器のベースを回転すると、掛け金機構はピストンを上方に押し付けるバネを開放し、次に下室内に保存された流体を圧縮し、流体を上方に押し付ける。下室の頂部には、弁があり、これはポリエチレン材料の固体ディスクから形成されるが、他の弁構成は、ダイヤフラム弁、ダックビル弁、フラッパ弁など、または混合が望まれるまで第２の流体を含有するあらゆる弁などが可能である。同様に、弁はラテックス、プラスチック、ゴムなどの他の材料で作成されてもよい。弁の上は弁アダプタである。弁アダプタは、弁アダプタの外縁部のわずかに内方にある単一の開口を有する。また、弁アダプタは、弁アダプタの周囲、および弁アダプタの外縁部のわずかに内方に延在する複数の開口を含んでもよい。他の開口構成も、本発明の精神から逸脱することなく可能である。
【００１３】
弁アダプタは、弁の上に配置された遷移チャンバと容器の上室との間に介装される。弁は、下室の円筒延長部の頂部の上に載置する唇部を含む。第１のバネまたは下室の下、下室に隣接した、もしくは下室に対応する他の張力機構を開放すると、第２の流体は弁に対して上方に押し付けられる。弁は、わずかに張力をかけられた第２のバネまたは他の張力機構により、円筒延長部の頂部に対して適所に保持される。第２のバネのバネ定数の値は、第１のバネのバネ定数より小さい。したがって、第１のバネが開放されて流体が弁に対して押し付けられると、弁により第２のバネに対して加えられた力は、バネ定数より大きく、第２のバネを圧縮し円筒延長部の頂部から弁が上がる。他の張力機構は、たとえば、弁自体または圧縮可能な材料から構成された弁アダプタであってもよい。本実施形態では、下側バネの減圧から生じる圧力により、下室からの流体が弁を上方に押し付け、弁の唇部を通って遷移チャンバに入り、弁アダプタを通過して上室の中に入ることにより、第１の流体と第２の流体を混合させる。
【００１４】
一実施形態では、２つの保存された流体を混合するための容器は、第１の流体を保持するための第１の室および第２の流体を保持するための第２の室を備える。容器は、第１の流体と第２の流体の混合を防止するための弁、弁を正常な閉位置に維持する第１の張力機構、および第２の張力機構により定位置に保持されたピストンを有する。また、容器は、第２の張力機構を開放するための開放機構も含み、第２の張力機構の開放により、ピストンは正常に閉じられた弁を開き、第２の流体が弁を通って第１の室の中に流れることが可能になる。
【００１５】
別の実施形態では、２つの隔離された流体を混合するための二室容器を準備するための方法は、第１の流体を第１の室に挿入することと、第２の流体を第２の室に挿入することと、を含み、第１の室と第２の室は結合される。第１の室と第２の室との間の弁を介して第１の流体と第２の流体を隔離することと、弁を正常な閉位置に維持するために第１の張力機構を位置付けることと、ピストンを第１の位置に保持するために第２の張力機構を位置付けること。第２の張力機構を開放する結果、ピストンは第２の位置に移動して第２の流体が弁を通って第１の室の中に流れることを提供する。
【００１６】
本開示は、１つまたは複数の実施形態に従って、以下の図を参照に詳細に説明される。図面は、例示のみの目的で提供され、典型的または例示的な実施形態のみを示す。これらの図面は、装置および方法の読者の理解を促進するために提供され、本発明の範囲または適用性を制限するとみなされるべきではない。例示を明確にわかりやすくするために、これらの図面は、必ずしもある縮尺にされていないことに留意されたい。
【００１７】
本明細書に含まれる一部の図は、異なる視野角からの様々な実施形態を示す。添付の説明文は「平面」、「底面」または「側面」図のような図を指してもよいが、このような参照は、説明に過ぎず、そうではないと明確に述べられない限り、すべての実施形態が特定の空間的定位に実施される、もしくは使用されることを示唆しない、または必要としない。
【図面の簡単な説明】
【００１８】
【図１】例示的実施形態による、二室容器の断面図である。
【図２】例示的実施形態による、容器の頂部およびディスペンサの断面図である。
【図３】例示的実施形態による、容器の頂部の断面図である。
【図４】例示的実施形態による、上側容器の斜視図である。
【図５Ａ】本発明のベースの例示的実施形態の、断面図および平面図である。
【図５Ｂ】本発明のベースの例示的実施形態の、断面図および平面図である。
【図６Ａ】例示的実施形態の、下側容器の断面図および平面図である。
【図６Ｂ】例示的実施形態の、下側容器の断面図および平面図である。
【図７Ａ】例示的実施形態による、キャップの断面図および平面図である。
【図７Ｂ】例示的実施形態による、キャップの断面図および平面図である。
【図８Ａ】例示的実施形態による、外キャップの平面図および断面図である。
【図８Ｂ】例示的実施形態による、外キャップの平面図および断面図である。
【図９Ａ】例示的実施形態による、内キャップの平面図、断面図および底面図である。
【図９Ｂ】例示的実施形態による、内キャップの平面図、断面図および底面図である。
【図９Ｃ】例示的実施形態による、内キャップの平面図、断面図および底面図である。
【図１０Ａ】例示的実施形態による、肩バンドの平面図、断面図および底面図である。
【図１０Ｂ】例示的実施形態による、肩バンドの平面図、断面図および底面図である。
【図１０Ｃ】例示的実施形態による、肩バンドの平面図、断面図および底面図である。
【図１１】例示的実施形態による、ピストンの断面図である。
【図１２】例示的実施形態による、内ボトルの断面図である。
【図１３Ａ】例示的実施形態による、弁アダプタの平面図、側面図、断面図および底面図である。
【図１３Ｂ】例示的実施形態による、弁アダプタの平面図、側面図、断面図および底面図である。
【図１３Ｃ】例示的実施形態による、弁アダプタの平面図、側面図、断面図および底面図である。
【図１３Ｄ】例示的実施形態による、弁アダプタの平面図、側面図、断面図および底面図である。
【図１４Ａ】例示的実施形態による、弁の平面図、側面図、底面図および断面図である。
【図１４Ｂ】例示的実施形態による、弁の平面図、側面図、底面図および断面図である。
【図１４Ｃ】例示的実施形態による、弁の平面図、側面図、底面図および断面図である。
【図１４Ｄ】例示的実施形態による、弁の平面図、側面図、底面図および断面図である。
【図１５Ａ】例示的実施形態による、下側ピストンの断面図、設置図、平面図、断面図および底面図である。
【図１５Ｂ】例示的実施形態による、下側ピストンの断面図、設置図、平面図、断面図および底面図である。
【図１５Ｃ】例示的実施形態による、下側ピストンの断面図、設置図、平面図、断面図および底面図である。
【図１５Ｄ】例示的実施形態による、下側ピストンの断面図、設置図、平面図、断面図および底面図である。
【図１５Ｅ】例示的実施形態による、下側ピストンの断面図、設置図、平面図、断面図および底面図である。
【図１６Ａ】例示的実施形態による、ピストンアダプタの平面図、断面図および底面図である。
【図１６Ｂ】例示的実施形態による、ピストンアダプタの平面図、断面図および底面図である。
【図１６Ｃ】例示的実施形態による、ピストンアダプタの平面図、断面図および底面図である。
【図１７Ａ】例示的実施形態による、パッキングリングの平面図および側面図である。
【図１７Ｂ】例示的実施形態による、パッキングリングの平面図および側面図である。
【図１８Ａ】例示的実施形態による、パッドの平面図および側面図である。
【図１８Ｂ】例示的実施形態による、パッドの平面図および側面図である。
【図１９Ａ】例示的実施形態による、上側ボトルの平面図、側面図、断面図および底面図である。
【図１９Ｂ】例示的実施形態による、上側ボトルの平面図、側面図、断面図および底面図である。
【図１９Ｃ】例示的実施形態による、上側ボトルの平面図、側面図、断面図および底面図である。
【図１９Ｄ】例示的実施形態による、上側ボトルの平面図、側面図、断面図および底面図である。
【図２０Ａ】例示的実施形態による、ベースの平面図、側面図、断面図および底面図である。
【図２０Ｂ】例示的実施形態による、ベースの平面図、側面図、断面図および底面図である。
【図２０Ｃ】例示的実施形態による、ベースの平面図、側面図、断面図および底面図である。
【図２０Ｄ】例示的実施形態による、ベースの平面図、側面図、断面図および底面図である。
【図２１Ａ】例示的実施形態による、内ボトルの平面図、側面図、底面図および２つの断面図である。
【図２１Ｂ】例示的実施形態による、内ボトルの平面図、側面図、底面図および２つの断面図である。
【図２１Ｃ】例示的実施形態による、内ボトルの平面図、側面図、底面図および２つの断面図である。
【図２１Ｄ】例示的実施形態による、内ボトルの平面図、側面図、底面図および２つの断面図である。
【図２１Ｅ】例示的実施形態による、内ボトルの平面図、側面図、底面図および２つの断面図である。
【００１９】
図は網羅的であること、または開示されたそのままの形式に実施形態を限定することを意図されてはいない。様々な実施形態が修正および変形して実行されることが可能であり、本発明は特許請求の範囲およびその均等物のみによって限定されることを理解されたい。
【発明を実施するための形態】
【００２０】
本明細書に記載された実施形態は例に過ぎない。これらの実施形態の用語の説明は、様々な特徴が例示的適用の概念において表現することができるために提供されている。当業者には明白であるように、本発明は本発明の精神から逸脱することなく、異なる実施形態および代替的実施形態において実施されることが可能である。
【００２１】
そうでないと定義されない限り，本明細書に使用されるすべての用語は、本発明が属する技術分野の当業者に共通に理解される意味と同じ意味を有する。すべての特許、出願、公開された出願、および本明細書に付託される他の刊行物は、参照によってその全体が組み込まれる。本節に説明される定義が、出願、公開された出願および参照によって本明細書に組み込まれた他の刊行物に説明された定義と相容れない、あるいは矛盾する場合は、本文書に説明された定義が、参照によって本明細書に組み込まれた定義より優先する。
【００２２】
図１は、例示的実施形態による、二室容器１００を示す。二室容器１００は、頂部キャップ１、ディスペンサバルブ２、外首キャップ３、内首キャップ４、肩部バンド５、上側ピストン６、ディスペンサ管７および上室８を含む上部２００からなる。二室容器は、ディスク９、弁アダプタ１０、弁１１、下側ピストン１２、ピストンアダプタ１３、下室１４、ベース１５、パッキングリング１６、Ｏリング１７、パッド１８、戻しバネ１９および開放バネ２０からなる下部３００をさらに含む。
【００２３】
一実施形態では、下室１４は、圧縮された開放バネ２０、または下室１４の掛け金機構およびベース１５により圧縮が保持される他の張力機構によって包囲された下側ピストン１２の上に載置する。ベース１５を回転すると、掛け金機構は下側ピストン１２を上方に押し付ける開放バネ２０を開放し、次いで下室１４内に保存された流体を圧縮し流体を上方に押し付ける。この実施形態のために、下室内の流体は液体であり、上室内の流体は液体である。下室の頂部における弁１１は、ポリエチレン材料の固体ディスクから形成されるが、他の弁構成は、ダイヤフラム弁、ダックビル弁、フラッパ弁など、または混合が望まれるまで第２の流体を含有するあらゆる弁などが可能である。同様に、弁はラテックス、プラスチック、ゴムなどの他の材料で作成されてもよい。弁１１の上は弁アダプタ１０およびディスク９である。弁アダプタ１０は、弁アダプタ１０の外縁部のわずかに内方にある単一の開口を有する。また、弁アダプタは、弁アダプタの周囲、および弁アダプタの外縁部のわずかに内方に延在する複数の開口を含んでもよい。他の開口構成も可能である。
【００２４】
弁アダプタ１０は、弁１１の上に配置された遷移チャンバと容器１００の上室８との間に介装される。弁は、下室の円筒延長部の頂部の上に載置する唇部を含む。戻しバネ２０または他の張力機構を開放すると、第２の流体は弁１１に対して上方に押し付けられる。弁１１は、わずかに張力をかけられた戻しバネ１９または他の張力機構により、円筒延長部の頂部に対して適所に保持される。戻しバネ１９のバネ定数は、開放バネ２０のバネ定数より小さい。したがって、開放バネ２０が開放されて流体が弁１１に対して押し付けられると、弁１１により戻しバネ１９に対して加えられた力は、バネ定数より大きくなり、その結果戻しバネ１９を圧縮し、円筒延長部の頂部から弁１１が上がる。他の張力機構は、たとえば、弁自体または圧縮可能な材料から構成された弁アダプタであってもよい。本実施形態では、開放バネ２０の減圧から生じる圧力により、下室１４からの流体が弁１１を上方に押し付け、弁１１の唇部を通って遷移チャンバに入り、弁アダプタ１０内の開口およびディスク９を通過して上室８の中に入ることにより、第１の流体と第２の流体を混合させる。
【００２５】
頂部キャップ１は、一端部上の固体頂部および反対側の端部上の開口部をもつ、概ね円筒の中空キャップである。頂部キャップ１は、首バンド５と係合し、リッジ７０３により適所に保持されるが、ネジ、圧力開放または同様のものなどの他の保持方法を使用することができる。頂部キャップ１は、ディスペンサ２を覆うのに十分な大きさであり、それによって流体の偶発的な分注を防止する。図１は頂部キャップ１を概ね円筒形で示すが、頂部キャップ１は、たとえば長円形、四角形、または円錐形などの他の形状を呈することができることが当業者には理解されたい。
【００２６】
図２は上部２００を示す。ディスペンサバルブ２は、外側表面２０および内側表面２１を有し、それによって空洞２２を生成する。ディスペンサバルブ２は、内首キャップ４の中に押圧嵌合することが意図され、切欠２３およびリム２４で成形される。切欠２３およびリム２４は、タブ４３と加圧して嵌合し、それによって内首キャップ４と上室８との間に隙間４４を生成する。パッキングリング１６は、隙間４４を充填して平座面１６１を生成することにより、ディスペンサ組立体が上室８の首上に着座可能になる。パッキングリング１６は、頂部円周、底周、ならびに内周および外周を有する座金形状リングである。内首キャップ４は、バルブディスペンサ２が通過できる、頂部上に縮小した開口４２を有する概ね円筒の開口管である。内首キャップ４は、内部表面４３および外表面４５を有する。内部表面４３は、上室８上のネジ８１と嵌合するネジ４１を含む。外首キャップ３は、頂部において縮小した開口３１を有する概ね円筒の管であり、バルブディスペンサ２が開口を通過し、概して底部で開くことを可能にする。外首キャップ３は、すべての外部表面上の内首キャップ４と直接接触して嵌合するように適合する。外首キャップ３は、アルミニウムまたは反射面で被覆された異なるプラスチックなどの内キャップ４と異なる材料から製造されてもよいが、他の見た目に美しい材料が企図される。
【００２７】
ディスペンサ管７は、ディスペンサバルブ２に隣接した開口上端部７１および上室８内に収納された開口遠位端７２を含む。遠位端７２は、バルブ形状の、まっすぐな、または湾曲した端部７５内で終了してもよい。ディスペンサ管７は、開口上端部７１に隣接して配置された肩部７３を有する。肩部７３は、ディスペンサバルブ２上のグローブ２５の中に嵌合し、押圧嵌合を生成する。ディスペンサ管７は空洞であり、上室８内に含有された流体を誘引するために内空洞７４を含む。
【００２８】
一実施形態では、ピストンは、上室内に包含された流体の上に配置される。図３は、上側ピストン６を示す。上側ピストン６は、実質的に平坦な底部ピストン面６１および頂部ピストン面６２、内表面６４および外表面６５を有するステム部６３を含む。ピストン面６１および６２の放射状外表面に包囲されるのは、Ｏリング１７を受領するための溝部６６である。Ｏリング１７は、上室８の壁８４とともに流体密封を形成し、それによって流体が上側ピストン６の上を通って空洞８２の中に入るのを防止する。ピストンステム部６３の内表面６４は、ディスペンサ管７を通り、それに応じて上側容器８内の流体にアクセスしてそこに運ぶための中空管を形成する。ステム部６３の遠位端に隣接するのは、フレア６７である。その最も広い外点で、ピストンステム６３は上側容器８の首部８３の内表面と同じ直径である。フレア６７は、ピストン６が空洞８２の中に押し付けられるにつれ、上側ピストン６と首部８３との間に接触面を提供する。作動中、下室１４からの流体が下側ピストン１２により上室８の中に入るにつれ、上側ピストン６は空洞８２の中に上方に押し付けられる。
【００２９】
図４に示された上側容器８は、ＰＣＴＡ、ガラスなどの透明プラスチック、またはＬｕｃｉｔｅ（登録商標）もしくはＬｅｘａｎ（登録商標）などの他の高い透明度材料から構築された概ね円筒の容器である。上側容器８は、ネジ８１、首部８３、第１の肩部８５、壁８４、底側壁８６、底部８７、開口８８および保持リッジ８９を含む。底部８７は、ディスク９、弁アダプタ１０、弁１１、下側ピストン１２、ピストンアダプタ１３、下室１４、パッド１８、戻しバネ１９および開放バネ２０を挿入できるために開いている。
【００３０】
図５Ａおよび５Ｂに示されたようにベース１５は、概して、垂直な側壁１５１、実質的に平坦なベース１５２、内ベース１５６、ベース切欠１５３、歯１５４、歯リム１５５および開口頂部１５７を有するカップの形状である。一実施形態では、側壁１５１は、ベース１５が上室８に対してその開始位置から回転されたことを示すために、透明窓１５８または他の開口を有してもよい。ディスク９、弁アダプタ１０、弁１１、下側ピストン１２、ピストンアダプタ１３、下室１４、パッド１８、戻しバネ１９および開放バネ２０が挿入された後、開口８７を通って底側壁部８６の中に入る。ベース１５は、ベース切欠１５３が保持リッジ８９に係合するまで、側壁部８６をベース１５の開口頂部１５７に挿入されることにより、上室８と所定の位置に押圧嵌合され、それによってベース１５を上室８の上に嵌り合う。この構成では、以下により完全に説明されるように、ベース切欠１５３と保持リッジ８９との相互連結により、ベース１５が上室８に対して軸方向に回転可能になる。
【００３１】
図６Ａおよび６Ｂは、それぞれ下室１４の側面図および平面図を示す。下室１４は、開口頂部１４０、側壁１４１、上側タブ部１４２、上側タブ切欠１４３、タブ唇部１４４、下側ベース１４５、ベース切欠１４６、ベース唇部１４７を有する、概ね円筒でカップの形状である。一実施形態では、下室１４は、流体で充填されベース１５の中に嵌合される。ベース切欠１４６およびベース唇部１４７は、歯１５４およびベース１５の歯リム１５５と噛み合う。一実施形態では、上室８に対してベース１５が回転することにより、歯１５４がベース切欠１４６に係合して、ベース１５が回転されるにつれ下室１４が回転する。さらに説明されるように、特定の実施形態に関して、こうした回転はトリガー機構を開放して、バネ２０内のエネルギーを放出し第２の流体を第１の室の中に押し付ける。
【００３２】
図７は、頂部キャップ１を示す。頂部キャップ１は、一端部上の固体頂部７０１および反対側の端部上の開口部７０２を有する概ね円筒の中空キャップである。頂部キャップ１は、首バンド５と係合し、リッジ７０３により適所に保持されるが、ネジ、圧力開放または同様のものなどの他の保持方法を使用することができる。頂部キャップ１は、ディスペンサ２を覆うのに十分な大きさであり、それによって流体の偶発的な分注を防止する。頂部キャップ１は、四角形、台形、長円形、半球体、もしくは円錐形または当業者には理解されるようなあらゆる他の形状などの、あらゆる形状であってもよい。
【００３３】
図８は外キャップ３を示す。外キャップまたは首キャップ３は、バルブディスペンサ２が開口を通過できるように頂部３５０において縮小した開口３１を有する概ね円筒の管であり、概して底部３５１において開いている。外首キャップ３は、すべての外部表面上の内首キャップ４と直接接触して嵌合するように合させられる。外首キャップ３は、アルミニウムまたは反射面で被覆された異なるプラスチックなどの内キャップ４と異なる材料から製造されてもよいが、他の見た目に美しい材料が企図される。
【００３４】
図９は内キャップ４を示す。内キャップ４は、バルブディスペンサ２が開口を通過できるように、頂部４５０において縮小した開口４０１を有する概ね円筒の開口管であり、概して底部４５１において開いている。内キャップ４は、すべての外部表面上の外キャップ３と直接接触して嵌合する。内キャップ４は、外首キャップ３と異なる材料から製造されてもよい。内キャップ４は、上側ボトル８に固定するために内部４０２上にネジ４０３を含んでもよい。加えて内キャップ４は、上側ボトル８上に押圧嵌合されるか、あるいは接着剤または熱結合もしくは科学結合などの他の結合技法で固定されてもよい。
【００３５】
図１０は、肩バンド５を示す。肩バンド５は、概して円筒であり上側表面５００上の開口５０１を含む。開口５０１は、上側ボトル８の首部を覆って嵌合するのに十分な大きさである。肩バンド５は、長円形状のリッジ５０２を有してもよく、または当業者に理解されるようなあらゆる形状であってもよい。肩バンド５は、頂部１が閉位置にあるときに、その上に載置する唇部５０３を含む。肩バンド５は、金属、プラスチックまたはガラスなどのあらゆる材料で作成されてもよく、様々な仕上げ剤で被覆されても被覆されなくてもよい。肩バンド５は、上側ボトル８上に押圧嵌合されてもよく、または接着剤もしくは他の技法を利用して取り付けられてもよい。
【００３６】
図１１は、上側ピストン６を示す。一実施形態では、上側ピストン６は、第２の液体の導入前に、上室内に存在する空間を補うために使用される。上側ピストン６は、第２の液体が混合されるまで、上室内の流体の頂部上に着座する。これが一旦生じると、上側ピストン６は、上室首部の中に入れられ、その結果、上室全体が完全に現れる。
【００３７】
図１２は、ボトルディスク９の断面図を示す。ボトルディスク９は、概ね円筒で側壁９０により周囲を包囲されており、壁切欠９１、上側切欠９２、唇部９３、ディスク切欠９４、弁アダプタ切欠９６、弁アダプタ壁９７、中心開口９８、および弁シェルフ９９を含む。図１４は、弁シェルフ９９に接触して装置する弁１１を示す。弁１１は、概ね円筒であり、ベース１１２より大きい上唇部１１１を含む。ベース１１２は、中心開口９８を通過するのに十分な大きさではない、上唇部１１１を有するボトルディスク９の中心開口９８内に嵌合するサイズである。上唇部１１１は弁シェルフ９９上に着座し、戻しバネ１９によって閉じたまま保持される。
【００３８】
図１３は弁アダプタ１０を示す。弁アダプタ１０は、概ね円筒であり、開口１００を含む。弁アダプタ１０は唇部９３上に着座するボトルディスク９内に嵌合するサイズである。弁アダプタ１０内の開口１００は弁アダプタ１０を中心に周囲に配置され、その結果、開放バネ２０における張力が開放されると、底部ボトル内の液体が弁開口１００を通過して、上側ボトル内の２つの流体の混合を引き起こす。弁アダプタ１０とボトルディスク９との間に介装されるのは、弁１１および戻しバネ１９である。戻しバネ１９は、開放バネ２０における張力が開放されるまで弁１１を閉じたままにするのに十分な強さである。一旦液体の混合が所望され、開放バネ２０における張力が開放されると、戻しバネ１９における膨張力は弁１１を閉位置に保つのに不十分であり、その結果、流体は上側容器内で混合されるように押し付けられる。
【００３９】
図１５は下側ピストン１２の一実施形態を示す。下側ピストン１２は、ピストン側壁１２０、ピストン面１２１、ピストン底部１２２、ピストンステム１２３、ピストンリム１２４、ピストン切欠１２５およびピストン唇部１２６を有する概ね円筒である。ピストン面１２１、ピストンリム１２４、ピストン切欠１２５およびピストン唇部１２６を含むピストン１２の直径は、ピストン１２が下室１４の内部に嵌合し、側壁１５１の内表面に接するものである。示された実施形態では、ピストン側壁１２０はピストン面１２１から周囲に下に延び、切り出されたフレア端部１２７に先細にされる。フレアの切り出された端部１２７は、ピストン壁面１２０と内室側壁１５１との間の接触を確実にする。この具体的なピストン構成が示されているが、他のピストン構成が可能であることは当業者には理解されたい。たとえば、ピストン面１２１は、ピストンリム１２４、ピストン切欠１２５およびピストン唇部１２６を必要とせず、ピストン面の全直径に延在することができる。同様に、封止リングまたは他の手段は、下室１４の側壁１５１に対して緊密な嵌合を確保するために、側壁１２０および切り出された端部１２７の適所に利用されることが可能である。
【００４０】
図１６はピストンアダプタ１３を示す。ピストンアダプタ１３は、内部１３３、上部１３０および下部１３１を有する概ね円筒の中空である。上部１３０は、上部１３０の周囲を包囲するリッジ１３２を含み、開放バネ２０と係合する。下部１３１は概ね円筒であり、上部１３０より小さい。下部１３１はピストン底部１２２に対してピストン１２内に装置する。ピストンステム１２３は中空内部１３３内に嵌合する。開放バネ２０が圧縮されると、ピストン１２およびピストンアダプタ１３は、開放されると第２の液体を下側容器から上側容器の中に入れるために使用される力を含む。
【００４１】
図１７はパッキングリング１６を示す。パッキングリング１６は、ディスペンサ組立体が上室８の首部上に着座可能になる平坦な座面１６１を生成する隙間４４を充填する。パッキングリング１６は、頂部１６２、底部１６３ならびに内周１６４および外周１６５を有する座金形状のリングである。パッキングリング１６は、プラスチックまたはゴムなどのあらゆる圧縮可能な材料から構成されてもよいが、他の材料が可能である。
【００４２】
図１８はパッド１８を示す。パッド１８は、ボトルディスク９を包囲する。パッド１８は、頂部１８２、底部１８３ならびに内周１８４および外周１８５を有する座金形状のパッドである。パッド１８は、プラスチックまたはゴムなどのあらゆる圧縮可能な材料から構成されてもよいが、他の材料が可能である。
【００４３】
図１９は上側ボトル８の断面図を示す。図１９に示すように、底部８７は弁システムのその他の構成部品の挿入ができるために開いている。当業者には理解されるように、上側ボトル８は円形である必要はないが、弁部分がそれに応じて修正される限り他の形状をとってもよい。
【００４４】
図２０はベース１５の断面図を示す。ベース１５は図示されるように、概して垂直側壁１５１、内ベース１５６、ベース切欠１５３、歯１５４、歯リム１５５および開口頂部１５７を有するカップの形状である。一実施形態では、側壁１５１は、ベース１５が上室８に対してその開始位置から回転されたことを示すために、透明窓または他の開口を有してもよい。
【００４５】
図２１は下室１４の断面図を示す。下室１４は、開口頂部１４０、側壁１４１、上側タブ部１４２、上側タブ切欠１４３、タブ唇部１４４、下側ベース１４５、ベース切欠１４６、ベース唇部１４７を有する、概ね円筒でカップの形状である。一実施形態では、下室１４は、流体で充填されベース１５の中に嵌合される。ベース切欠１４６およびベース唇部１４７は、歯１５４およびベース１５の歯リム１５５と噛み合う。一実施形態では、上室８に対してベース１５が回転することにより、歯１５４がベース切欠１４６に係合して、ベース１５が回転されるにつれ下室１４が回転する。
【００４６】
様々な実施形態が上に説明されたが、これらは例示のみとして示されているものであり、限定するものとして示されていないことを理解されたい。同様に、様々な図が例示的構造または他の構成を示してもよく、これは、含むことができる特徴および機能の理解を助けるために示されている。本発明は、示された例示的構造または構成に限定されないが、所望の特徴は様々な代替の構造および構成を使用して実施されることが可能である。実際に、代替の機能、理論的または物理的部分および構成が、どのように所望の特徴を実施するために実施されることが可能であるかが当業者には明らかになろう。また、本明細書に示されたもの以外の多数の異なる構成モジュールの名称が、様々な部分に適用可能である。加えて、流れ図、作動記述および方法の特許請求の範囲に関して、本明細書に提示されたステップにおける順番は、様々な実施形態が特段の記載がない限り、列挙された機能を同じ順番で実行するために実施されることを義務付けるべきではない。
【００４７】
接続詞「ａｎｄ（および）」と関連する事項の群は、それらの事項のありとあらゆるものがその分類内に存在する必要があると読まれるべきではなく、むしろ別段の明記がない限り「ａｎｄ／ｏｒ（および／または）」として読まれるべきである。同様に、接続詞「ｏｒ（または）」と関連する事項の群は、その群の中の相互排他性を必要とするとして読まれるべきではなく、むしろ別段の明記がない限りこれも「ａｎｄ／ｏｒ（および／または）」として読まれるべきである。さらに、事項、構成要素または構成部品は単数において説明または主張されてもよいが、単数への限定が明白に述べられない限り、複数がその範囲内にあると企図される。
【００４８】
本文書を読んだ後に当業者には明らかになるように、示された実施形態およびそれらの様々な代替形態は、示された例示に制限することなく実施されることが可能である。たとえば、ブロック図およびそれらの付随する説明は、特定の構造および構成を命じると解釈されるべきではない。
【図１】
2014504200.tif 000003
【図２】
2014504200.tif 000004
【図３】
2014504200.tif 000005
【図４】
2014504200.tif 000006
【図５Ａ】
2014504200.tif 000007
【図５Ｂ】
2014504200.tif 000008
【図６Ａ】
2014504200.tif 000009
【図６Ｂ】
2014504200.tif 000010
【図７Ａ】
2014504200.tif 000011
【図７Ｂ】
2014504200.tif 000012
【図８Ａ】
2014504200.tif 000013
【図８Ｂ】
2014504200.tif 000014
【図９Ａ】
2014504200.tif 000015
【図９Ｂ】
2014504200.tif 000016
【図９Ｃ】
2014504200.tif 000017
【図１０Ａ】
2014504200.tif 000018
【図１０Ｂ】
2014504200.tif 000019
【図１０Ｃ】
2014504200.tif 000020
【図１１】
2014504200.tif 000021
【図１２】
2014504200.tif 000022
【図１３Ａ】
2014504200.tif 000023
【図１３Ｂ】
2014504200.tif 000024
【図１３Ｃ】
2014504200.tif 000025
【図１３Ｄ】
2014504200.tif 000026
【図１４Ａ】
2014504200.tif 000027
【図１４Ｂ】
2014504200.tif 000028
【図１４Ｃ】
2014504200.tif 000029
【図１４Ｄ】
2014504200.tif 000030
【図１５Ａ】
2014504200.tif 000031
【図１５Ｂ】
2014504200.tif 000032
【図１５Ｃ】
2014504200.tif 000033
【図１５Ｄ】
2014504200.tif 000034
【図１５Ｅ】
2014504200.tif 000035
【図１６Ａ】
2014504200.tif 000036
【図１６Ｂ】
2014504200.tif 000037
【図１６Ｃ】
2014504200.tif 000038
【図１７Ａ】
2014504200.tif 000039
【図１７Ｂ】
2014504200.tif 000040
【図１８Ａ】
2014504200.tif 000041
【図１８Ｂ】
2014504200.tif 000042
【図１９Ａ】
2014504200.tif 000043
【図１９Ｂ】
2014504200.tif 000044
【図１９Ｃ】
2014504200.tif 000045
【図１９Ｄ】
2014504200.tif 000046
【図２０Ａ】
2014504200.tif 000047
【図２０Ｂ】
2014504200.tif 000048
【図２０Ｃ】
2014504200.tif 000049
【図２０Ｄ】
2014504200.tif 000050
【図２１Ａ】
2014504200.tif 000051
【図２１Ｂ】
2014504200.tif 000052
【図２１Ｃ】
2014504200.tif 000053
【図２１Ｄ】
2014504200.tif 000054
【図２１Ｅ】
2014504200.tif 000055
【国際調査報告】
2014504200.tif 000056
2014504200.tif 000057